(57)【要約】【課題】  例えば、ユーザの所望の放送番組の予約記録をより的確に行うことを可能とする。【解決手段】  情報記録装置（１）は、定期的（毎週、毎日又は毎月等）に放送される定期放送番組についてのチャンネルと録画開始時刻及び録画終了時刻とを指定することで、定期放送番組を予約する予約手段（１０２）と、この定期放送番組と共に又は別に配信される、チャンネルと放送開始時刻及び放送終了時刻とを示す放送時間帯情報を含む電子番組表（ＥＰＧ：Electric Program Guide）情報を取得する取得手段（１０１）と、定期放送番組を録画可能な記録手段（１０３）と、（ｉ）定期放送番組を、録画開始時刻から録画するように記録手段を制御し、（ｉｉ）録画されている最中に定期放送番組についての放送終了時刻を電子番組表情報から検索し、（ｉｉｉ）定期放送番組を、検索された放送終了時刻まで録画するように記録手段を制御する制御手段（１０２）とを備える。【選択図】  図２
2006050364.tif 000002
【特許請求の範囲】
【請求項１】
定期的に放送される定期放送番組についてのチャンネルと定期的な録画開始時刻及び録画終了時刻とを指定することで、前記定期放送番組を予約する予約手段と、
予約された前記定期放送番組と共に又は別に配信され、少なくとも予約された前記定期放送番組についてのチャンネルと放送開始時刻及び放送終了時刻とを示す放映時間帯情報を含む電子番組表情報を取得する取得手段と、
予約された前記定期放送番組を録画可能な記録手段と、
（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御手段と
を備えたことを特徴とする情報記録装置。
【請求項２】
前記制御手段は、
検索された前記放映時間帯情報により示される放送終了時刻と、予約された前記定期放送番組についての録画終了時刻とが相異なる場合に、予約された前記定期放送番組を、検索された前記放映時間帯情報により示される放送終了時刻まで録画するように前記記録手段を制御し、
検索された前記放映時間帯情報により示される放送終了時刻と、予約された前記定期放送番組についての録画終了時刻とが相互に同一である場合に、予約された前記定期放送番組を、予約された録画終了時刻まで録画するように前記記録手段を制御することを特徴とする請求項１に記載の情報記録装置。
【請求項３】
前記制御手段は、予約された前記定期放送番組についての録画開始時刻及び録画終了時刻を記憶する記憶手段を更に備え、
前記制御手段は、検索された前記放映時間帯情報により示される放送終了時刻と、予約された前記定期放送番組についての録画終了時刻とが相異なる場合に、前記記憶手段に記憶された録画終了時刻を、検索された前記放映時間帯情報により示される放送終了時刻と一致する時刻に更新し、
予約された前記定期放送番組を、記憶された前記録画終了時刻まで録画するように前記記録手段を制御することを特徴とする請求項１又は２に記載の情報記録装置。
【請求項４】
前記予約手段は、前記録画開始時刻から、前記録画終了時刻までの予定記録時間を更に算出し、
前記制御手段は、予約された前記定期放送番組として、最初に録画される第１放送番組の第１記録時間を測定する測定手段を有し、
前記制御手段は、（ｉｖ）測定された前記第１記録時間が、前記予定記録時間の所定の割合より短い場合、取得された前記電子番組表情報から、前記第１放送番組の次に放映される第２放送番組の放送終了時刻である第２放送終了時刻を示す情報を、更に検索し、（ｖ）前記第１放送番組に引き続き、前記第２放送番組を、前記第２放送終了時刻まで録画するように前記記録手段を制御することを特徴とする請求項１に記載の情報記録装置。
【請求項５】
前記制御手段は、予約された前記定期放送番組についての録画開始時刻から、所定の待機時間の経過後に、取得された前記電子番組表情報からの検索を行うことを特徴とする請求項１に記載の情報記録装置。
【請求項６】
前記取得手段は、
前記電子番組表情報を受信する受信手段と、
受信された前記電子番組表情報が記録される情報記録媒体と
を有し、
前記制御手段は、記録された前記電子番組表情報から、前記放送終了時刻を示す情報を検索することを特徴とする請求項１に記載の情報記録装置。
【請求項７】
定期的に放送される定期放送番組を録画可能な記録手段を備えた情報記録装置における情報記録方法であって、
前記定期放送番組についてのチャンネルと定期的な録画開始時刻及び録画終了時刻とを指定することで、前記定期放送番組を予約する予約工程と、
予約された前記定期放送番組と共に又は別に配信され、少なくとも予約された前記定期放送番組についてのチャンネルと放送開始時刻及び放送終了時刻とを示す放映時間帯情報を含む電子番組表情報を取得する取得工程と、
（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御工程と
を備えたことを特徴とする情報記録方法。
【請求項８】
請求項１に記載の情報記録装置に備えられたコンピュータを制御する記録制御用のコンピュータプログラムであって、該コンピュータを、前記予約手段、前記取得手段、前記記録手段、及び、前記制御手段のうち少なくとも一部として機能させることを特徴とするコンピュータプログラム。
【発明の詳細な説明】
【技術分野】
【０００１】
本発明は、例えば、アナログやデジタル放送において、放送番組の属性情報を示した電子番組表（ＥＰＧ：Electric Program Guide）情報を取得すると共に、例えば、ハードディスクやＤＶＤ等の情報記録媒体に放送番組等を録画することが可能な情報記録装置及び方法、並びにコンピュータプログラムの技術分野に関する。
【背景技術】
【０００２】
特許文献１においては、先ず、電子番組表（ＥＰＧ）情報を構成する放送番組のタイトル名や、ジャンル名（種類名）を示した文字列等の文字情報から、放送番組の視聴者であるユーザ（以下、適宜「ユーザ」と称す）の所望の放送番組のタイトル名に含まれる文字列を検索する。次に、この検索の結果、該当した放送番組の放映時間になったら録画を自動的に行う。このようなアルゴリズムに基づいて、自律的に録画を行うことが可能な記録方法に関する技術が開示されている。
【０００３】
【特許文献１】特開２００３−４６９２１号公報
【発明の開示】
【発明が解決しようとする課題】
【０００４】
しかしながら、例えば、毎週月曜に放映されるドラマ等の所定の時間間隔で定期的（毎週、毎日又は毎月等）に放映される放送番組（以下、適宜「定期放送番組」と称す）については、初回放送（第１回放送）や最終回放送が、特別編等として通常の時間より長い時間に亘って放送される場合がある。或いは、初回放送（第１回放送）や最終回放送の開始時刻以前に、この定期放送番組に関する宣伝や、総集編等を放送する場合がある。この場合、特許文献１において、この定期放送番組のタイトル名に含まれる文字列で検索すると、定期放送番組の本編以外のこれらの付随的、二次的な放送番組に加えて全く無関係の放送番組まで検索し、録画してしまう可能性がある。従って、情報記録媒体のデータ容量（リソース）を、無駄に使用（消費）してしまう。この結果、ひいては、使用可能なデータ容量が少なくなってしまい、所望の定期放送番組の放映時間の全てを録画できなくなってしまう可能性があるという技術的な問題点がある。
【０００５】
また、電子番組表（ＥＰＧ）情報においては、放送番組のタイトル名の誤記や、ジャンル名の欠落等が発生する可能性もあり、前述したように、タイトル名や、ジャンル名に基づいて検索を行う場合、所望の番組が、検索されないと共に、録画されない可能性がある。逆に、タイトル名等を用いての検索では、所望の番組と無関係の他の一又は多数の番組が誤まって検索されてしまう可能性もあるという技術的な問題点がある。
【０００６】
本発明は、例えば上述した問題点に鑑みなされたものであり、例えば、ユーザが所望する予約された定期放送番組の録画をより的確に行うことを可能ならしめる情報記録装置及び方法、並びにコンピュータをこのような情報記録装置として機能させるコンピュータプログラムを提供することを課題とする。
【課題を解決するための手段】
【０００７】
上記課題を解決するために、請求項１に記載の情報記録装置は、定期的に放送される定期放送番組についてのチャンネルと定期的な録画開始時刻及び録画終了時刻とを指定することで、前記定期放送番組を予約する予約手段と、予約された前記定期放送番組と共に又は別に配信され、少なくとも予約された前記定期放送番組についてのチャンネルと放送開始時刻及び放送終了時刻とを示す放映時間帯情報を含む電子番組表（ＥＰＧ：Electric Program Guide）情報を取得する取得手段と、予約された前記定期放送番組を録画可能な記録手段と、（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御手段とを備える。
【０００８】
上記課題を解決するために、請求項７に記載の情報記録方法は、定期的に放送される定期放送番組を録画可能な記録手段を備えた情報記録装置における情報記録方法であって、前記定期放送番組についてのチャンネルと定期的な録画開始時刻及び録画終了時刻とを指定することで、前記定期放送番組を予約する予約工程と、予約された前記定期放送番組と共に又は別に配信され、少なくとも予約された前記定期放送番組についてのチャンネルと放送開始時刻及び放送終了時刻とを示す放映時間帯情報を含む電子番組表情報を取得する取得工程と、（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御工程とを備える。
【０００９】
上記課題を解決するために、請求項８に記載のコンピュータプログラムは、請求項１に記載の情報記録装置に備えられたコンピュータを制御する記録制御用のコンピュータプログラムであって、該コンピュータを、前記予約手段、前記取得手段、前記記録手段、及び、前記制御手段のうち少なくとも一部として機能させる。
【００１０】
本発明の作用及び他の利得は次に説明する実施の形態から明らかにされよう。
【発明を実施するための最良の形態】
【００１１】
以下、発明を実施するための最良の形態としての本発明の実施形態に係る情報記録装置及び方法、情報再生装置及び方法、並びにコンピュータプログラムについて順に説明する。
【００１２】
（情報記録装置の実施形態）
本発明に係る情報記録装置の実施形態は、定期的に放送される定期放送番組についてのチャンネルと定期的な録画開始時刻及び録画終了時刻とを指定することで、前記定期放送番組を予約する予約手段と、予約された前記定期放送番組と共に又は別に配信され、少なくとも予約された前記定期放送番組についてのチャンネルと放送開始時刻及び放送終了時刻とを示す放映時間帯情報を含む電子番組表（ＥＰＧ：Electric Program Guide）情報を取得する取得手段と、予約された前記定期放送番組を録画可能な記録手段と、（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御手段とを備える。
【００１３】
本発明に係る情報記録装置の実施形態によれば、先ず、予約手段によって、ユーザが所望する、例えば、毎週月曜に放映されるドラマ等の定期的（毎週、毎日又は毎月等）に放映される定期放送番組の予約が行なわれる。次に、制御手段の制御下で、記録手段によって、この予約された定期放送番組についての録画開始時刻から録画が開始される。この予約された定期放送番組と共に又は別に配信される、この予約された定期放送番組についてのチャンネルと放送開始時刻及び放送終了時刻とを示す放送時間帯情報を含む電子番組表（ＥＰＧ）情報が、取得手段によって取得される。次に、制御手段の制御下で、この取得された電子番組表（ＥＰＧ）情報から、録画されている最中の予約された定期放送番組についての最新の放送終了時刻を示す情報が、例えば、チャンネルと放送開始時刻及び放送終了時刻とを示す情報に基づいて、検索される。次に、制御手段の制御下で、記録手段によって、この予約された定期放送番組が、検索された最新の放送終了時刻まで録画される。
【００１４】
仮に、チャンネル、放送開始時刻及び放送終了時刻の代わりに、電子番組表（ＥＰＧ）情報を構成する定期放送番組を含む放送番組のタイトル名や、ジャンル名（種類名）を示した文字列等の文字情報から、ユーザの所望の定期放送番組のタイトル名に含まれる文字列を検索した場合、定期放送番組の本編以外の、例えば宣伝番組や、総集編等の付随的、二次的な放送番組に加えて全く無関係の放送番組まで検索し、録画してしまう可能性がある。よって、情報記録媒体のデータ容量（リソース）を、無駄に使用（消費）してしまう。この結果、ひいては、使用可能なデータ容量が少なくなってしまい、所望の定期放送番組の放映時間の全てを録画できなくなってしまう可能性がある。また、電子番組表（ＥＰＧ）情報においては、放送番組のタイトル名の誤記や、ジャンル名の欠落等が発生する可能性もあり、前述したように、タイトル名や、ジャンル名に基づいて検索を行う場合、所望の番組が、検索されないと共に、録画されない可能性もある。
【００１５】
これに対して、本発明に係る情報記録装置の実施形態によれば、ユーザが所望する、予約された定期放送番組の録画が、予約された録画開始時刻から開始される。その後、取得された電子番組表（ＥＰＧ）情報から、録画されている最中の予約された定期放送番組についての最新の放送終了時刻を示す情報が、例えば、チャンネルと放送開始時刻及び放送終了時刻とを示す情報に基づいて、検索される。この予約された定期放送番組が、検索された最新の放送終了時刻まで録画される。従って、ユーザが所望する予約された定期放送番組の放送終了時刻の変更に適切に対応して、この予約された定期放送番組の録画を、最新の放送終了時刻に停止させることが可能となる。よって、ユーザの所望しない放送番組等の録画を未然に防止し、情報記録媒体のデータ容量を無駄に使用（消費）してしまうことを殆ど又は完全に防止することができる。
【００１６】
加えて、本実施形態によれば、予約された定期放送番組の録画に際して、タイトル名や、ジャンル名に基づいた検索が行われない。よって、例えば、一の定期放送番組が、最終回を迎えて終了し、次回から、他の定期放送番組が放映される場合においても、引き続き、電子番組表（ＥＰＧ）情報に適切に追従させることが可能となる。即ち、タイトル名、チャンネル、又は、放映時間帯等の予約するための情報の再入力をしなくても、前述の如く電子番組表（ＥＰＧ）情報からの放送終了時刻の検索、及び、該放送終了時刻までの録画が行われることにより、電子番組表（ＥＰＧ）情報に適切に追従させることが可能となる。
【００１７】
本発明の情報記録装置に係る実施形態の一の態様では、前記制御手段は、検索された前記放映時間帯情報により示される放送終了時刻と、予約された前記定期放送番組についての録画終了時刻とが相異なる場合に、予約された前記定期放送番組を、検索された前記放映時間帯情報により示される放送終了時刻まで録画するように前記記録手段を制御し、検索された前記放映時間帯情報により示される放送終了時刻と、予約された前記定期放送番組についての録画終了時刻とが相互に同一である場合に、予約された前記定期放送番組を、予約された録画終了時刻まで録画するように前記記録手段を制御する。
【００１８】
この態様によれば、ユーザが所望する、予約された定期放送番組の録画を、より効率的に行うことが可能となる。
【００１９】
本発明の情報記録装置に係る実施形態の他の態様では、前記制御手段は、予約された前記定期放送番組についての録画開始時刻及び録画終了時刻を記憶する記憶手段を更に備え、前記制御手段は、検索された前記放映時間帯情報により示される放送終了時刻と、予約された前記定期放送番組についての録画終了時刻とが相異なる場合に、前記記憶手段に記憶された録画終了時刻を、検索された前記放映時間帯情報により示される放送終了時刻と一致する時刻に更新し、予約された前記定期放送番組を、記憶された前記録画終了時刻まで録画するように前記記録手段を制御する。
【００２０】
この態様によれば、記憶手段を用いて、所望される予約された定期放送番組の録画を、より確実且つ的確に行うことが可能となる。
【００２１】
本発明の情報記録装置に係る実施形態の他の態様では、前記予約手段は、前記録画開始時刻から、前記録画終了時刻までの予定記録時間を更に算出し、前記制御手段は、予約された前記定期放送番組として、最初に録画される第１放送番組の第１記録時間を測定する測定手段を有し、前記制御手段は、（ｉｖ）測定された前記第１記録時間が、前記予定記録時間の所定の割合より短い場合、取得された前記電子番組表情報から、前記第１放送番組の次に放映される第２放送番組の放送終了時刻である第２放送終了時刻を示す情報を、更に検索し、（ｖ）前記第１放送番組に引き続き、前記第２放送番組を、前記第２放送終了時刻まで録画するように前記記録手段を制御する。
【００２２】
この態様によれば、最初に録画される第１放送番組の第１記録時間が、録画開始時刻から、録画終了時刻までの予定記録時間の所定の割合（例えば、６５％）より短い場合は、この第１放送番組に加え、次に放映される第２放送番組まで録画される。従って、ユーザの所望の予約された定期放送番組が、通常の放映時間帯よりも、遅く放映されるという、不測の場合においても、所望される予約された定期放送番組の録画を、より的確に行うことが可能となる。
【００２３】
より具体的には、例えば、毎週月曜に放映されるドラマ等の定期的（毎週、毎日又は毎月等）に放送される定期放送番組の、初回放送（第１回放送）や最終回放送の開始時刻以前に、この定期放送番組に関する宣伝や、総集編等を放送する場合がある。この場合、電子番組表（ＥＰＧ）情報において、この宣伝や、総集編等が、本編の定期放送番組と区分されており、本編の定期放送番組の放送終了時刻と異なった他の放送終了時刻が示されている。しかしながら、この態様によれば、これらの宣伝や、総集編等に加えて、引き続き放送される本編の定期放送番組まで録画される。
【００２４】
本発明の情報記録装置に係る実施形態の他の態様では、前記制御手段は、予約された前記定期放送番組についての録画開始時刻から、所定の待機時間の経過後に、取得された前記電子番組表情報からの検索を行う。
【００２５】
この態様によれば、所望される予約された定期放送番組が、通常の放映時間帯よりも、遅く放映されるという、不測の場合、制御手段の制御下で、例えば、１４分等の所定の待機時間の経過後に、予約された定期放送番組の放送終了時刻の検索、及び、該放送終了時刻までの録画が行われる。
【００２６】
従って、所望される予約された定期放送番組の録画を、より的確に行うことが可能となる。
【００２７】
より具体的には、例えば、毎週月曜に放映されるドラマ等の定期的（毎週、毎日又は毎月等）に放映される定期放送番組の、初回放送（第１回放送）や最終回放送の開始時刻以前に、この定期放送番組に関する宣伝や、総集編等を放送する場合がある。この場合、電子番組表（ＥＰＧ）情報において、この宣伝や、総集編等が、本編の定期放送番組と区分されており、定期放送番組の本編の放送終了時刻と異なった他の放送終了時刻が示されている。しかしながら、この態様によれば、所定の待機時間の経過後に、定期放送番組の本編の終了時刻の検索が行われるので、これらの宣伝や、総集編等の他の放送終了時刻の影響を殆ど又は完全に受けることなく、定期放送番組の本編の終了時刻まで録画することが可能となる。
【００２８】
本発明の情報記録装置に係る実施形態の他の態様では、前記取得手段は、前記電子番組表情報を受信する受信手段（チューナー）と、受信された前記電子番組表情報が記録される情報記録媒体（ＥＰＧＤＢが記録されるＨＤＤやＤＶＤ）とを有し、前記制御手段は、記録された前記電子番組表情報から、前記放送終了時刻を示す情報を検索する。
【００２９】
この態様によれば、例えば、アナログ放送の６チャンネルにおいて、所定の時間間隔（例えば、４時間３０分間隔）で配信される電子番組表（ＥＲＧ）情報が、例えば、データベース情報として、情報記録装置のメモリ部、又は、ハードディスクドライブ（以下、適宜「ＨＤＤ」と称す）やＤＶＤの記録領域の一部に記憶される。
【００３０】
従って、制御手段による放送終了時刻を示す情報の検索を、より迅速且つ的確に行うことが可能となる。
【００３１】
（情報記録方法の実施形態）
本発明の情報記録方法に係る実施形態は、定期的に放送される定期放送番組を録画可能な記録手段を備えた情報記録装置における情報記録方法であって、前記定期放送番組についてのチャンネルと定期的な録画開始時刻及び録画終了時刻とを指定することで、前記定期放送番組を予約する予約工程と、予約された前記定期放送番組と共に又は別に配信され、少なくとも予約された前記定期放送番組についてのチャンネルと放送開始時刻及び放送終了時刻とを示す放映時間帯情報を含む電子番組表情報を取得する取得工程と、（ｉ）予約された前記定期放送番組を、予約された前記定期放送番組についての録画開始時刻から録画するように前記記録手段を制御し、（ｉｉ）前記記録手段により前記定期放送番組が録画されている最中に、予約された前記定期放送番組についての放送終了時刻を示す放映時間帯情報を、取得された前記電子番組表情報から検索し、（ｉｉｉ）予約された前記定期放送番組を、検索された前記放映時間帯情報により示される放送終了時刻まで録画するように前記記録手段を制御する制御工程とを備える。
【００３２】
本発明の情報記録方法に係る実施形態によれば、上述した本発明の情報記録装置に係る実施形態が有する各種利益を享受することが可能となる。
【００３３】
尚、上述した本発明の情報記録装置に係る実施形態が有する各種態様に対応して、本発明の情報記録方法に係る実施形態も各種態様を採ることが可能である。
【００３４】
（コンピュータプログラムの実施形態）
本発明のコンピュータプログラムに係る実施形態は、上述した本発明の情報記録装置に係る実施形態（但し、その各種態様を含む）に備えられたコンピュータを制御する記録制御用のコンピュータプログラムであって、該コンピュータを、前記予約手段、前記取得手段、前記記録手段、及び、前記制御手段のうち少なくとも一部として機能させる。
【００３５】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００３６】
尚、上述した本発明の情報記録装置に係る実施形態における各種態様に対応して、本発明のコンピュータプログラムに係る各実施形態も各種態様を採ることが可能である。
【００３７】
本発明のこのような作用及び他の利得は次に説明する実施例から更に明らかにされる。
【００３８】
以上説明したように、本発明の情報記録装置又は方法に係る実施形態は、予約手段と、取得手段と、記録手段と、制御手段とを、又は、予約工程と、取得工程と、制御工程とを備える。従って、ユーザが所望する予約された定期放送番組の放送終了時刻の変更に適切に対応して、この予約された定期放送番組の録画を、最新の放送終了時刻に停止させることが可能となる。よって、ユーザの所望しない放送番組等の録画を未然に防止し、情報記録媒体のデータ容量を無駄に使用（消費）してしまうことを殆ど又は完全に防止することができる。
【実施例】
【００３９】
以下、図面を参照しながら、本発明の情報記録装置に係る実施例について説明を進める。尚、本実施例においては、例えば、地上波アナログ放送、又は、地上波デジタル放送を受信する受信機を備えると共に、例えば、ハードディスクドライブ（以下、適宜「ＨＤＤ」と称す）等の情報記録媒体に記録する、例えば、ＨＤＤ付きＤＶＤレコーダー等の情報記録再生装置について説明する。
【００４０】
（情報記録装置の第１実施例）
先ず、図１から図６を参照して、本発明の情報記録装置に係る第１実施例について説明する。尚、以下の説明においては、受信データの記録のみならず受信データの再生を行うこともできる、例えば、ＨＤＤ付きのＤＶＤレコーダー等の情報記録再生装置を、本発明における情報記録装置の一具体例として説明を進める。
【００４１】
（１）基本構成
先ず、図１を参照して、本発明の情報記録装置の第１実施例に係る情報記録再生装置の基本構成について説明を進める。ここに、図１は、本発明の情報記録装置の実施例に係る情報記録再生装置の基本構成を概念的に示す論理ブロック図である。尚、図１におけるステップ番号は、後述される図２におけるステップ番号にも対応される。
【００４２】
図１に示されるように、情報記録再生装置１は、（ｉ）例えば、ＣＰＵ（Central Processing Unit）等の各種制御及び管理を行う構成要素として、次の４種類の管理部を備えて構成されている。即ち、（ｉ−１）本願発明の「取得手段」の一例を構成する電子番組表（ＥＰＧ）管理部１０１、（ｉ−２）本願発明の「制御手段」の一例を構成する録画予約管理部１０２、（ｉ−３）本願発明の「記録手段」の一例を構成する記録管理部１０３、（ｉ−４）再生管理部１０４を備えて構成されている。
【００４３】
更に、情報記録再生装置１は、（ｉｉ）本願発明の「情報記録媒体」及び「記憶手段」の一例を構成する、例えば、ＨＤＤやＤＶＤ等の番組記録部２００、（ｉｉｉ）記録系の構成要素として、本願発明の「受信手段」の一例を構成するチューナ３０１、Ａ／Ｄ（Analog to digital）コンバータ３０２、ＭＰＥＧ２エンコーダ３０３、（ｉｖ）再生系の構成要素として、ＭＰＥＧ２デコーダ４０１、Ｄ／Ａ（Digital to Analog）コンバータ、テレビモニター４０３、並びに、（ｖ）ユーザとインタフェースとして、ユーザ指示入力部５００を備えて構成されている。
【００４４】
（２）動作原理
次に、図２から図５に加えて前述した図１を適宜参照して、本実施例に係る情報記録再生装置の動作原理に加えて詳細な構成について説明する。
【００４５】
（２−１）第２回放送の予約記録
先ず、図２に加えて、図３、図４及び前述した図１を適宜参照して、ユーザによる予約記録の設定に基づいて、第１回放送の予約記録が成功後、第２回放送が予約記録される流れについて説明する。ここに、図２は、本発明の情報記録装置の第１実施例に係る情報記録再生装置の第２回放送の記録動作の流れを示したフローチャートである。尚、図２におけるステップ番号は、前述した図１におけるステップ番号にも対応される。図３は、本発明の情報記録装置の第１実施例に係る情報記録再生装置の記録対象となる、一般的な、毎週月曜等、定期的に放映されるドラマ等の放送番組の、第１回放送から、最終回放送までの放映時間帯を示した模式図である。図４は、本発明の情報記録装置の第１実施例に係る情報記録再生装置に対して、ユーザが、第１回放送を予約記録するために設定する各種情報を示した表である。
【００４６】
先ず、録画予約管理部１０２の制御下で、ユーザの所望の放送番組の録画開始時刻（９：００ＰＭ）になった場合、記録管理部１０３による、第２回放送（８月９日）の番組記録部２００への記録が開始される（ステップＳ１０１）。
【００４７】
特に、ここでは、図３及び図４に示されるように、ユーザが、新聞等のテレビ番組欄を参照して、所望の第１回放送（８月２日）の予約記録を、チャンネルを「１２ｃｈ」、録画開始時刻を９：００ＰＭ、録画終了時刻を１０：０９ＰＭとして設定されていると仮定する。加えて、この記録の開始以前に、チューナ３０１によって受信された電子番組表（ＥＰＧ）情報が、電子番組表管理部１０１を介して、番組記録部２００に、データベースの形式で記録されている。より具体的には、ジェムスター等の電子番組表（ＥＰＧ）の配信業者が、１日に５回（４時間３０分の時間間隔で）、「６」チャンネルのアナログ放送信号に重畳させることによって、電子番組表（ＥＰＧ）情報を配信させている。本実施例に係る情報記録再生装置１が、所定の時間に、自動的に起動され、チューナ等を介して、この電子番組表（ＥＰＧ）情報を取得する。
【００４８】
次に、録画予約管理部１０２の制御下で、電子番組表（ＥＰＧ）への追従を行う設定とされているか否かが判定される（ステップＳ１０２）。特に、この電子番組表（ＥＰＧ）への追従を行う設定は、毎週の予約記録が、終了される以前（記録中を含む）に、ユーザによって、行われていればよい。ここで、電子番組表（ＥＰＧ）への追従を行う設定とされている場合、具体的には、電子番組表（ＥＰＧ）への追従を行う設定とされていることを示すフラグが、「Ｙｅｓ」となっている場合（ステップＳ１０２：Ｙｅｓ）、次のような検索が行われる。
【００４９】
即ち、電子番組表管理部１０１の制御下で、番組記録部２００に、データベースの形式で記録されている電子番組表（ＥＰＧ）情報から、現在、記録の最中の放送番組（第２回放送）の放送終了時刻に関する情報が、チャンネル（具体的には「１２ｃｈ」）、及び、録画開始時刻（具体的には９：００ＰＭ）等の放映時間帯に基づいて、検索される（ステップＳ１０３）。尚、図３に示されるように、電子番組表（ＥＰＧ）においては、第２回放送の放送終了時刻は、９：５４ＰＭに変更されているので、検索される放送終了時刻は、この９：５４ＰＭである。
【００５０】
次に、電子番組表管理部１０１の制御下で、前述した第１回放送を予約記録するために設定された録画終了時刻（１０：０９ＰＭ）が、検索された放送終了時刻（９：５４ＰＭ）に再設定（設定上で更新）される（ステップＳ１０４）。
【００５１】
次に、録画予約管理部１０２の制御下で、再設定された放送終了時刻（９：５４ＰＭ）において、記録管理部１０３による、第２回放送（８月９日）の番組記録部２００への記録が終了される（ステップＳ１０５）。このように、ユーザが所望する予約された定期放送番組の放送終了時刻の短縮等の変更に適切に対応して、この予約された定期放送番組の録画を、最新の放送終了時刻に停止させることが可能となる。よって、ユーザの所望しない放送番組等の録画を未然に防止し、情報記録媒体のデータ容量を無駄に使用（消費）してしまうことを殆ど又は完全に防止することができる。
【００５２】
他方、電子番組表（ＥＰＧ）への追従を行う設定とされていない場合、又は、情報記録再生装置１が、電子番組表（ＥＰＧ）への追従を行うことができない場合（ステップＳ１０２：Ｎｏ）、前述した第１回放送を予約記録するために設定された録画終了時刻（１０：０９ＰＭ）まで、記録が行なわれてしまう。即ち、電子番組表（ＥＰＧ）への追従を行う設定とされていない場合、又は、電子番組表（ＥＰＧ）への追従を行うことができない場合、第２回放送の放送終了時刻が、第１回放送の放送終了時刻と異なることに対応することができずに、余分な情報を記録してしまい、番組記録部２００のデータ量を無駄に使用してしまう。
【００５３】
（２−２）最終回放送の予約記録
次に、図５に加えて図３を適宜参照して、ユーザによる予約記録の設定に基づいて、第２回放送から第１２回放送の予約記録が成功後、最終回放送が予約記録される流れについて説明する。ここに、図５は、本発明の情報記録装置の第１実施例に係る情報記録再生装置の最終回放送の記録動作の流れを示したフローチャートである。尚、図５に示された予約記録の流れは、前述した図２に示された予約記録の流れと概ね同様であるので、その効果を中心として説明する。
【００５４】
特に、電子番組表（ＥＰＧ）への追従を行う設定とされているか否かが、前述したように、判定される（ステップＳ１０２）。ここで、電子番組表（ＥＰＧ）への追従を行う設定とされている場合、（ステップＳ１０２：Ｙｅｓ）、前述と同様にして、ステップＳ１０３において、現在、記録の最中の放送番組（最終回放送）の放送終了時刻に関する情報が、チャンネル（具体的には「１２ｃｈ」）、及び、録画開始時刻（具体的には９：００ＰＭ）等の放映時間帯に基づいて、検索される。尚、図３に示されるように、電子番組表（ＥＰＧ）においては、最終回放送の放送終了時刻は、１０：２４ＰＭに変更されているので、検索される放送終了時刻は、この１０：２４ＰＭである。
【００５５】
次に、ステップＳ１０４で、録画予約管理部１０２の制御下で、再設定された放送終了時刻（１０：２４ＰＭ）において、記録管理部１０３による、最終回放送の番組記録部２００への記録が終了される（ステップＳ１０５）。このように、ユーザが所望する予約された定期放送番組の放送終了時刻の延長等の変更に適切に対応して、この予約された定期放送番組の録画を、最新の放送終了時刻に停止させることが可能となる。よって、ユーザの所望しない放送番組等の録画を未然に防止し、情報記録媒体のデータ容量を無駄に使用（消費）してしまうことを殆ど又は完全に防止することができる。
【００５６】
（３）詳細構成
次に、図６を参照して、本実施例に係る情報記録再生装置の詳細構成について説明する。ここに、図６は、本発明の情報記録装置の実施例に係る情報記録再生装置の詳細構成を図式的に示すブロック図である。
【００５７】
図６に示されるように、情報記録再生装置１は、ＴＶ受信機1ａ、映像入力２、音声出力３、入力切換４、Ａ／Ｄ（Analog to digital）コンバータ５、Ａ／Ｄコンバータ６、ＴＶ信号デコーダ７、入力切換８、映像エンコーダ９、音声エンコーダ１０、マルチプレクサ１１、入力切換１２、ドライブ１入力切換１３、ドライブインターフェイス１４、ＨＤＤドライブ１５、ＨＤＤ１６、ドライブ２入力切換１７、ドライブインターフェイス１８、ＤＶＤドライブ１９、ＤＶＤ２０、再生切換２１、出力切換２２、デマルチプレクサ２３、画像デコーダ２４、音声デコーダ２５、出力切換２６、サムネイルＯＳＤ２７、ＴＶ信号エンコーダ２８、Ｄ／Ａコンバータ２９、映像出力３０、Ｄ／Ａ（Digital to Analog）コンバータ３１、音声出力３２、システムＣＰＵ３３、操作部３４、メモリー部３５、リモコン受光部３６、リモコン３７、デジタル受信機３８、ＩＥＥＥ１３９４デコーダ３９、ＴＳインプットプロセッサ４０、ＴＳアウトプットプロセッサ４１、ＩＥＥＥ１３９４エンコーダ４２、及び、ＩＥＥＥ１３９４出力４３を備えて構成されている。
【００５８】
（４）詳細動作
（４−１）放送番組の記録を行う場合
次に、図６を参照して、放送番組の記録の場合の詳細動作について詳細な構成と共に説明する。
【００５９】
（４−１ａ）プログラムストリームの受信
ＴＶ受信機1ａはＶＨＦ又はＢＳなどのＲＦ信号を受信し、選択された受信帯域に同調して受信した信号波をＩＦ信号に変換するとともに、ＴＶ用映像信号及び音声信号に復調して入力切換４に出力する。
【００６０】
入力切換４は、ＴＶ受信機１ａから出力された信号、及び、映像入力２、音声入力３からの信号を選択的に切り換え、映像信号をＡ／Ｄ（Analog to digital）コンバータ５に、音声信号をＡ／Ｄコンバータ６に出力する。
【００６１】
Ａ／Ｄコンバータ５は、入力切換４によって選択されたＴＶ用アナログ信号をデジタル信号に変換してＴＶ信号デコーダ７に出力する。
【００６２】
ＴＶ信号デコーダ７は、入力されたＴＶ用デジタル信号を復号化し、ＮＴＳＣ方式などの通常の映像信号に変換して入力切換８に出力する。
【００６３】
Ａ／Ｄコンバータ６は、入力切換４によって選択されたアナログ音声信号をデジタル音声信号に変換して入力切換８に出力する。
【００６４】
入力切換８には、ＴＶ信号デコーダ７、及び、Ａ／Ｄコンバータ６から出力された映像信号及び音声信号と、例えば、ＨＤＤからＤＶＤへダビングを行う場合、及び、ＤＶＤからＨＤＤへダビングを行う場合、ＨＤＤドライブ１５又はＤＶＤドライブ１９から出力され、デコードされた映像信号、及び、音声信号が入力される。この入力切換８は、後述されるシステムＣＰＵ３３の制御に基づいて、入力された映像信号および音声信号の何れかを選択し、選択した映像信号を映像エンコーダ９に、選択した音声信号を音声エンコーダ１０に出力する。
【００６５】
映像エンコーダ９は、入力切換８によって選択された映像信号をＭＰＥＧフォーマットの映像データに変換し、マルチプレクサ１１に出力する。
【００６６】
音声エンコーダ１０は、入力切換８によって選択された音声信号をＡＣ−３フォーマットの音声データに変換し、マルチプレクサ１１に出力する。
【００６７】
マルチプレクサ１１は、入力された映像データおよび音声データに基づいてプログラムストリームを生成し、入力切換１２に出力する。
【００６８】
入力切換１２には、マルチプレクサ１１から出力されたプログラムストリーム及び前述したＴＳインプットプロセッサ４０から出力されたトランスポートストリームが入力される。この入力切換１２は、システムＣＰＵ３３の制御に基づいて入力されたストリームを選択し、ドライブ1入力切換１３及びドライブ２入力切換１７に出力する。
【００６９】
（４−１ｂ）トランスポートストリームの受信
デジタル受信機３８は、例えば、地上波デジタル放送を受信する。
【００７０】
ＩＥＥＥ１３９４デコーダ３９は、デジタル受信機３８を介して入力されたＩＥＥＥ１３９４フォーマットのトランスポートストリームを通常のトランスポートストリームに変換し、ＴＳインプットプロセッサ４０に出力する。
【００７１】
ＴＳインプットプロセッサ４０は、入力された通常のトランスポートストリームをＨＤＤ記録用のトランスポートストリームデータ（以下、適宜「ＨＤＤ記録用ＴＳデータ」）に変換し、入力切換１２に出力する。
【００７２】
ＨＤＤドライブ１５には、ＡＴＡＰＩなどの規格に準拠したドライブインターフェイス１４が接続されており、ドライブインターフェイス１４には、入力切換１２からの出力を切り換えるドライブ１入力切換１３が接続されている。このドライブ１入力切換１３は、システムＣＰＵ３３の制御により入力源の切り換えを行う。尚、ＨＤＤドライブ１５は、入力切換１２を介して入力されたストリーム（ＴＳ、又は、ＰＳ）をＨＤＤ１６に記録するようになっている。
【００７３】
（４−２）ＨＤＤから外部への出力、及び、サムネイルの表示を行う場合
情報記録再生装置１では、ＴＳアウトプットプロセッサ４１は、入力されたＨＤＤ記録用トランスポートストリームデータを通常のトランスポートストリームに変換し、ＩＥＥＥ１３９４エンコーダ４２に出力する。ＩＥＥＥ１３９４エンコーダ４２は、入力された通常のトランスポートストリームをＩＥＥＥ１３９４フォーマットのトランスポートストリームに変換し、ＩＥＥＥ１３９４出力４３を介して外部に出力する。またこれらＨＤＤドライブ１５に記録した各タイトルの代表番組情報を用いて、各タイトルの記録内容一覧、所謂、サムネイルをサムネイルＯＳＤ２７にて表示を行うことや、システムＣＰＵ３３によってメモリー部３５にてトランスポートストリームのタイトル一覧表示用ＢＭＬ（Broadcast Markup Language）データへと変換し、ＴＳアウトプットプロセッサ４１よりＩＥＥＥ１３９４エンコーダ４２を通ってＩＥＥＥ１３９４出力４３より出力することが可能である。
【００７４】
（４−３）ＤＶＤへの記録、及び、ＤＶＤからの再生を行う場合
ＤＶＤドライブ１９には、ＡＴＡＰＩなどの規格に準拠したドライブインターフェイス１８が接続されており、ドライブインターフェイス１８にはＨＤＤドライブ１５からの出力又は入力切換１２からの出力を切り換えるドライブ２入力切換１７が接続されている。このドライブ２入力切換１７は、ドライブ１入力切換１３と同様に、システムＣＰＵ３３の制御により入力及び出力の切り換えを行う。また、このＤＶＤドライブ１９は、ＨＤＤドライブ１５と同様に、予め記録されたストリームを読み出し、ドライブインターフェイス１８を介して再生切換２１に出力するとともに、入力切換１２を介して入力されたストリームをＤＶＤ２０に記録するようになっている。
【００７５】
再生切換２１は、ドライブインターフェイス１４を介してＨＤＤドライブ１５から出力されたストリームと、ドライブインターフェイス１７を介してＤＶＤドライブ１９から出力されたストリームと、の何れか一方をシステムＣＰＵ３３の制御に基づいて選択し、出力切換２２に出力する。
【００７６】
出力切換２２は、システムＣＰＵ３３の制御に基づいて、再生切換２１から入力されたストリームを選択的に切り換え、プログラムストリームをデマルチプレクサ２３に、トランスポートストリームを後述するＴＳアウトプットプロセッサ４１に出力する。
【００７７】
デマルチプレクサ２３は、出力切換２２によって選択されたプログラムストリームからＭＰＥＧ形式を有する映像データ及びＡＸＣ−３形式を有する音声データを分離し、分離した映像データおよび音声データを、それぞれ、画像デコーダ２４又は音声デコーダ２５に出力する。
【００７８】
画像デコーダ２４は、入力されたＭＰＥＧ形式の映像データを復号化して映像信号に変換し、復号化されたデジタル信号を出力切換２６に出力する。
【００７９】
音声デコーダ２５は、入力されたＡＣ−３形式の音声データを復号化して音声信号に変換し、復号されたデジタル音声信号を出力切換２６に出力する。
【００８０】
出力切換２６には、ＴＶ信号デコーダ７から出力されたデジタル映像信号及びＡ／Ｄコンバータ６から出力されたデジタル音声信号と、画像デコーダ２４及び音声デコーダ２５によって復号されたデジタル画像信号およびデジタル音声信号と、が入力されるようになっており、この出力切換２６はシステムＣＰＵ３３の制御に基づいて、入力された映像信号及び音声信号を切り換えて、映像信号をサムネイルＯＳＤ２７に、音声信号をＤ／Ａ（Digital to Analog）コンバータ３１に、それぞれ、出力する。
【００８１】
サムネイルＯＳＤ２７は、入力された映像信号に対して必要な文字情報等を重畳し、ＴＶ信号エンコーダ２８に出力する。
【００８２】
ＴＶ信号エンコーダ２８は、入力された映像信号を外部のモニタなどに表示させるため、ＴＶ用の映像フォーマットに変換し、Ｄ／Ａコンバータ２９に出力する。
【００８３】
Ｄ／Ａコンバータ２９は、入力されたＴＶ用デジタル映像信号をアナログ信号に変換し、映像出力３０を介して外部に出力する。
【００８４】
Ｄ／Ａコンバータ３１は、入力されたデジタル音声信号をアナログ信号に変換し、音声出力３２を介して外部に出力する。
【００８５】
システムＣＰＵ３３は、キー入力ポート、表示部出力ポート等の各種入出力ポートを含み、ＨＤＤ１６の再生及び記録、又はＤＶＤ２０の再生及び記録の各処理のための全般的な機能を総括的に制御する。尚、システムＣＰＵ３３は、ＨＤＤ１６の再生及び記録、又はＤＶＤ２０の再生及び記録の際に、メモリー部３５に格納される制御プログラムを読み出して各処理を実行し、メモリー部３５に処理中のデータを一時的に保持するようになっている。
【００８６】
操作部３４は、各種確認ボタンおよび数字キー、上下左右カーソルキー等の多数のキーから構成され、キー操作に従って、又は、リモコン受光部３６から出力された所定の信号をシステムＣＰＵ３３に出力する。
【００８７】
リモコン受光部３６は、リモコン３７から出射された赤外線光などの光ビームを受光し、所定の信号に変換して操作部３４に出力する。
【００８８】
リモコン３７は、操作部３４と同様に、各種確認ボタンおよび数字キー、上下左右カーソルキー等の多数のキーから構成されている。
【００８９】
（情報記録装置の第２実施例）
（１）第３回放送の予約記録
次に、図７に加えて前述した図３を適宜参照して、本発明の情報記録装置の第２実施例に係る情報記録再生装置の動作原理に加えて詳細な構成について説明する。ここに、図７は、本発明の情報記録装置の第２実施例に係る情報記録再生装置の第３回放送の記録動作の流れを示したフローチャートである。尚、図７において、前述した図２及び図５と同様のステップには、同様のステップ番号を付し、説明は、適宜省略する。
【００９０】
本発明の情報記録装置の第２実施例に係る情報記録再生装置の構成及び動作原理は、前述した第１実施例に係る情報記録再生装置と概ね同様である。
【００９１】
特に、第２実施例に係る情報記録再生装置によれば、図３に示されるような、例えば、第３回放送の本編の放送開始時刻以前に、この第３回放送に関する宣伝や、総集編等を放送する場合等の不測の場合においても、所望される予約された定期放送番組の録画を、より的確に行うことが可能となる。
【００９２】
より具体的には、図７のステップＳ２０１において、録画予約管理部１０２の制御下で、最初に録画された放送番組を対象にして、予定記録時間と、実際に記録された記録時間（１３分）との比較が行われる。この比較の結果、実際の記録時間（１５分）が、予定記録時間（５４分）の所定の割合（６５％＝３５分）より、短い場合（ステップＳ２０１：Ｙｅｓ）、所望の放送番組とは、別に宣伝や、総集編等が放映されていると判断し、最初に録画した放送番組に加えて、次に放映される第３回放送の本編が記録される（ステップＳ１０１）。
【００９３】
（情報記録装置の第３実施例）
（１）第３回放送の予約記録
次に、図８に加えて前述した図３を適宜参照して、本発明の情報記録装置の第３実施例に係る情報記録再生装置の動作原理に加えて詳細な構成について説明する。ここに、図８は、本発明の情報記録装置の第３実施例に係る情報記録再生装置の第３回放送の記録動作の流れを示したフローチャートである。尚、図８において、前述した図２及び図５と同様のステップには、同様のステップ番号を付し、説明は、適宜省略する。
【００９４】
本発明の情報記録装置の第３実施例に係る情報記録再生装置の構成及び動作原理は、前述した第１実施例に係る情報記録再生装置と概ね同様である。
【００９５】
特に、第３実施例に係る情報記録再生装置によれば、図３に示されるような、例えば、第３回放送の本編の放送開始時刻以前に、この第３回放送に関する宣伝や、総集編等を放送する場合等の不測の場合においても、所望される予約された定期放送番組の録画を、より的確に行うことが可能となる。
【００９６】
より具体的には、図８のステップＳ３０１において、電子番組表管理部１０１の制御下で、予約記録の開始後、例えば、１４分等の所定時間が経過したか否かが判定される。ここで、所定時間が経過した場合（ステップＳ３０１：Ｙｅｓ）、ステップＳ１０３における検索が行われる。他方、ステップＳ３０１の判定の結果、所定時間が経過していない場合（ステップＳ３０１：Ｎｏ）、再び、当該判定が行われる。
【００９７】
このように、第３実施例に係る情報記録再生装置によれば、電子番組表管理部１０１の制御下で、所定時間の経過後に、第３回放送の本編の放送終了時刻の検索、及び、更新が行われる。よって、第３回放送の宣伝や、総集編等の他の放送終了時刻の影響を殆ど又は完全に受けることなく、第３回放送の本編の放送終了時刻まで記録することが可能となる。
【００９８】
上述した実施例では、放送番組の搬送波として、地上波アナログ放送、又は、地上波デジタル放送を例にとって説明したが、ＢＳ（Broadcasting Satellite）や、ＣＳ（Communication Satellite）や、インターネット等を介して、配信される放送番組等のすべての放送形態に適用可能である。
【００９９】
また、上述の実施例では、情報記録装置の一例としてＨＤＤ付きのＤＶＤレコーダ（プレーヤ）について説明したが、本発明は、磁気ディスクや、光ディスクのレコーダ（プレーヤ）に限られるものではなく、他の各種記録媒体並びにそのレコーダ（プレーヤ）にも適用可能である。
【０１００】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、並びに、記録制御用のコンピュータプログラムもまた本発明の技術的範囲に含まれるものである。
【図面の簡単な説明】
【０１０１】
【図１】本発明の情報記録装置の実施例に係る情報記録再生装置の基本構成を概念的に示す論理ブロック図である。
【図２】本発明の情報記録装置の第１実施例に係る情報記録再生装置の第２回放送の記録動作の流れを示したフローチャートである。
【図３】本発明の情報記録装置の第１実施例に係る情報記録再生装置の記録対象となる、一般的な、毎週月曜等、定期的に放映されるドラマ等の放送番組の、第１回放送から、最終回放送までの放映時間帯を示した模式図である。
【図４】本発明の情報記録装置の第１実施例に係る情報記録再生装置に対して、ユーザが、第１回放送を予約記録するために設定する各種情報を示した表である。
【図５】本発明の情報記録装置の第１実施例に係る情報記録再生装置の最終回放送の記録動作の流れを示したフローチャートである。
【図６】本発明の情報記録装置の実施例に係る情報記録再生装置の詳細構成を図式的に示すブロック図である。
【図７】本発明の情報記録装置の第２実施例に係る情報記録再生装置の第３回放送の記録動作の流れを示したフローチャートである。
【図８】本発明の情報記録装置の第３実施例に係る情報記録再生装置の第３回放送の記録動作の流れを示したフローチャートである。
【符号の説明】
【０１０２】
１…情報記録再生装置、1ａ…ＴＶ受信機、１５…ＨＤＤドライブ、１９…ＤＶＤドライブ、３３…システムＣＰＵ、３８…デジタル受信機、１０１…電子番組表管理部、１０２…録画予約管理部、１０３…記録管理部、１０４…再生管理部、２００…番組記録部、３０１…チュ−ナ、３０２…Ａ／Ｄコンバータ、３０３…ＭＰＥＧ２エンコーダ、４０１…ＭＰＥＧ２デコーダ、４０２…Ｄ／Ａコンバータ、４０３…テレビモニター、５００…ユーザ指示入力部
【図１】
2006050364.tif 000003
【図２】
2006050364.tif 000004
【図３】
2006050364.tif 000005
【図４】
2006050364.tif 000006
【図５】
2006050364.tif 000007
【図６】
2006050364.tif 000008
【図７】
2006050364.tif 000009
【図８】
2006050364.tif 000010